(57)【要約】【課題】外面、内面がそれぞれ機能にあうようにした工具袋などの収納具を提供する。【解決手段】第一の収納用空間２や第二の収納用空間３を形成する外面16と内面17を、異なる材料によって形成する。外面16の材料と内面17の材料を芯材と共に一体的に設ける。外面16の材料と内面17の材料は、ナイロン基布、ポリエステル基布、皮革、人工皮革、ビニールレザー、スエード或いは帆布のいずれかである。外面16に要求される防水性や耐強度を確保できる。内面17に要求される手触りなどを確保して扱い易い収納具を提供することができる。【選択図】図１
0003142434.tif 000002
【実用新案登録請求の範囲】
【請求項１】
収納用空間を形成する収納具本体の外面と内面を、異なる材料によって形成すると共にこれら外面の材料と内面の材料を一体的に設けたことを特徴とする収納具。
【請求項２】
前記異なる材料によって形成される外面と内面は、前記収納具本体の少なくとも外側面と内側面であることを特徴とする請求項１記載の収納具。
【請求項３】
前記収納具本体は工具や部品を収納する工具袋であることを特徴とする請求項１又は２記載の収納具。
【請求項４】
前記外面の材料と前記内面の材料は、ナイロン基布、ポリエステル基布、皮革、人工皮革、ビニールレザー、スエード或いは帆布のいずれかであり、前記外面の材料と前記内面の材料は貼り合せられていることを特徴とする請求項１〜３のいずれか１項に記載の収納具。
【請求項５】
前記外面の材料の摩擦係数と、前記内面の材料の摩擦係数を異なるように形成したことを特徴とする請求項１〜４のいずれか１項に記載の収納具。
【請求項６】
前記外面の材料と前記内面の材料との間に、芯材を設けて前記外面の材料と前記内面の材料を一体的に設けたことを特徴とする請求項１〜５のいずれか１項に記載の収納具。
【考案の詳細な説明】
【技術分野】
【０００１】
本考案は、工具や携帯電話などを収納する収納具に関するものである。
【背景技術】
【０００２】
ホルダ本体を布製とし、ホルダ本体の外面側にホルダ本体と同じ化学繊維製の布材からなる収納部材を装着してなり、工具類などを収納部材に収納するツールホルダが知られている（例えば特許文献１）。
【特許文献１】実用新案登録第３１１１２２８号公報
【考案の開示】
【考案が解決しようとする課題】
【０００３】
従来技術においては、収納用空間を形成するための外側と内側はそれぞれ同じ材料、例えば化学繊維の布などで形成されていた。
【０００４】
しかしながら、収納用空間を形成するための外面と内面では異なる機能が要求される。例えば、外面は表面に傷が付かないように高い強度や防止性が要求される。一方、内面は被収納物が傷付かないように軟質性が要求される。さらに内面には表面において指が擦れにくいことが要求される。これは内面が擦れやすいと指先が内面に当ったときに痛くなるためである。
【０００５】
解決しようとする問題点は、外面、内面がそれぞれ機能にあうようにした工具袋などの収納具を提供する点である。
【課題を解決するための手段】
【０００６】
請求項１の考案は、収納用空間を形成する収納具本体の外面と内面を、異なる材料によって形成すると共にこれら外面の材料と内面の材料を一体的に設けたことを特徴とする収納具である。
【０００７】
請求項２の考案は、前記異なる材料によって形成される外面と内面は、前記収納具本体の少なくとも外側面と内側面であることを特徴とする請求項１記載の収納具である。
【０００８】
請求項３の考案は、前記収納具本体は工具や部品を収納する工具袋であることを特徴とする請求項１又は２記載の収納具である。
【０００９】
請求項４の考案は、前記外面の材料と前記内面の材料は、ナイロン基布、ポリエステル基布、皮革、人工皮革、ビニールレザー、スエード或いは帆布のいずれかであり、前記外面の材料と前記内面の材料は貼り合せられていることを特徴とする請求項１〜３のいずれか１項に記載の収納具である。
【００１０】
請求項５の考案は、前記外面の材料の摩擦係数と、前記内面の材料の摩擦係数を異なるように形成したことを特徴とする請求項１〜４のいずれか１項に記載の収納具である。
【００１１】
請求項６の考案は、前記外面の材料と前記内面の材料との間に、芯材を設けて前記外面の材料と前記内面の材料を一体的に設けたことを特徴とする請求項１〜５のいずれか１項に記載の収納具である。
【考案の効果】
【００１２】
請求項１の考案によれば、外面に要求される機能を確保できると共に、内面に要求される機能をそれぞれ確保することができる。
【００１３】
請求項２の考案によれば、指の擦れなど差し入れた指が当たりやすい内面に要求される機能をそれぞれ確保することができる。
【００１４】
請求項３の考案によれば、工具や部品の収納を良好に行うと共に、工具や部品の出し入れも良好に行うことができる。
【００１５】
請求項４の考案によれば、貼り合せにより外面の材料と内面の材料とが一体となり、堅牢な構造となる。
【００１６】
請求項５の考案によれば、内面での手触りを外面より良好にするなどのことができる。
【００１７】
請求項６の考案によれば、芯材により強度をいっそう高めることができる。
【考案を実施するための最良の形態】
【００１８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１９】
収納具である工具袋１は、工具・部品類（図示せず）を収納する第一の収納用空間２及びその正面側のやや下方に配置する第二の収納用空間３をポケットにより形成したものである。
【００２０】
第一の収納用空間２は、平面が矩形の第一の底面４と、その前後左右の縁より立設する第一の前側面５、第一の後側面６、第一の左側面７、第一の右側面８とを備え、上方を第一の開口部９としている。そして第一の後側面６はその上部を外側に折り返して腰ベルト通し用のリング状となった装着部10を設けている。
【００２１】
第二の収納用空間３は、平面が矩形の第二の底面11と、その前左右の縁より立設する第二の前側面12、第二の左側面13、第二の右側面14とを備え、上方を第二の開口部15としている。尚、第二の底面11、第二の左側面13、第二の右側面14の後縁側は、第一の底面４、第一の左側面７、第一の右側面８の前縁側に接続している。
【００２２】
前記第一の底面４、第一の前側面５、第一の後側面６、第一の左側面７、第一の右側面８及び第二の前側面12、第二の左側面13、第二の右側面14においては、それぞれその外側に臨む外面16の材料と、内側に臨む内面17の材料を異なるものとすると共に、これら外面16の材料と内面17の材料の間に芯材18を介在しており、これら外面16の材料と芯材18と内面17の材料を貼り合わせなどによって一体化させ、複合的な素材としている。そして、これら外面16の材料と内面17の材料は、表面において摩擦係数が異なるものとなっている。尚、外面16の材料と内面17の材料を異なるものにするとは、同じ種類の材質、例えばナイロン、ポリエステルであっても摩擦係数が異なるもの、耐熱温度が異なるものであればよい。
【００２３】
前記外面16の材料と前記内面17の材料は、いずれも布或いはシート（フィルムを含む）状であって、例えばナイロン基布、ポリエステル基布、皮革、人工皮革、ビニールレザー、スエード或いは帆布のいずれかである。すなわち、外面16の材料をナイロン基布とし、内面17の材料を人工皮革とするように、外面16の材料においては、防水性や強度が高い材料が選択され、一方内面17の材料においては、指が擦れないような材料が選択されている。また、芯材18としては、発泡ポリエチレン等の弾性を有するように軽量な材料が用いられている。尚、外面16の材料と内面17の材料との組み合わせは、実施例に限定されるものでなく、要求される機能によって適宜選択されるものであり、さらに材料も金属を含め各種のものが用いられる。
【００２４】
次に前記構成についてその作用を説明する。腰のバンド（図示せず）を装着部10に通して身につける。そして、第一の収納用空間２や第二の収納用空間３に工具・部品類を収納する。そして、例えば指（図示せず）を第一の収納用空間２に挿入して工具・部品類を取り出すときに、指が第一の前側面５、第一の後側面６、第一の左側面７、第一の右側面８のいずれかの内面17の表面に当っても、内面17の材料が人工皮革であるので、指が擦れるようなことはなく、指の出し入れの際、内面17に当っても痛くはない。
【００２５】
以上のように、前記実施例では請求項１に対応して、第一の収納用空間２や第二の収納用空間３を形成する外面16と内面17を、異なる材料によって形成すると共にこれら外面16の材料と内面17の材料を一体的に設けたことで、外面16に要求される防水性や耐強度を確保できると共に、内面17に要求される手触りなどをそれぞれ確保して扱い易い収納具を提供することができる。
【００２６】
また、請求項２に対応して、異なる材料によって形成される外面16と内面17は、少なくとも第一の前側面５、第一の後側面６、第一の左側面７、第一の右側面８、また第二の前側面12、第二の左側面13、第二の右側面14のそれぞれの外面16と内面17であることにより、差し入れた指が当たりやすい内面17の表面において、指が擦れて痛めないような対処を行うことができる。
【００２７】
さらに、請求項３に対応して、前記収納具本体は工具や部品を収納する工具袋１であることによって、工具や部品を出し入れするときに、内面17において、指が擦れて痛めないような対処を行うことができる。
【００２８】
また、請求項４に対応して、前記外面16の材料と前記内面17の材料は、ナイロン基布、ポリエステル基布、皮革、人工皮革、ビニールレザー、スエード或いは帆布のいずれかであり、前記外面16の材料と前記内面17の材料は貼り合せられていることにより、外面16と内面17とが複合素材となって一枚物として扱うことができるので、第一の底面４、第一の前側面５などにおいて一体感があり、堅牢な構造となる。
【００２９】
さらに、請求項５に対応して、外面16の材料の摩擦係数と、内面17の材料の摩擦係数を異なるように形成したことで、内面17での手触りを外面16より良好にするなどのことができる。
【００３０】
しかも、請求項６に対応して、前記外面16の材料と前記内面17の材料との間に、芯材18を設けて前記外面16の材料と前記内面17の材料を一体的に設けたことにより、強度を高めることができる。
【産業上の利用可能性】
【００３１】
以上のように本考案にかかる収納具は工具袋以外に携帯電話用収納具など各種の用途に適用できる。
【図面の簡単な説明】
【００３２】
【図１】本考案の実施例１を示す斜視図である。
【図２】同断面図である。
【符号の説明】
【００３３】
１  工具袋
２  第一の収納用空間
３  第二の収納用空間
16  外面
17  内面
18  芯材
【図１】
0003142434.tif 000003
【図２】
0003142434.tif 000004